(57)【要約】シリンジアダプタがもたらされる。そのアダプタは、第１の端部と、その第１の端部に向かい合って位置付けられる第２の端部とを有するハウジングを含む。そのハウジングは、第１の部分と、第１の部分に接続された第２の部分とを含み得る。そのハウジングの第１の端部は、シリンジバレルに固定されるように構成されたコネクタを含むことができる。また、そのアダプタは、ハウジング内に位置決めされるカニューレと、ハウジング内に位置決めされ、ハウジング内で移動可能な膜を含むシール装置とを含む。そのハウジングの第１の部分は、ハウジングの第１の部分と第２の部分との間の軸方向および半径方向の締り嵌めによって第２の部分に接続可能とされる。
2020505115.tif 000002
【特許請求の範囲】
【請求項１】
第１の端部と、該第１の端部に向かい合って位置付けられる第２の端部とを有するハウジングであって、シリンジバレルに固定されるように構成されたコネクタを含む第１の部分と該第１の部分に接続された第２の部分とを含む、ハウジングと、
前記ハウジング内に位置決めされカニューレと、
前記ハウジング内に位置決めされ、膜を含み、前記ハウジング内で移動可能なシール装置と、を含み、
前記ハウジングの前記第１の部分は、前記ハウジングの前記第１の部分と前記第２の部分との間で軸方向および半径方向の締り嵌めを介して前記第２の部分に接続されるシリンジアダプタ。
【請求項２】
前記ハウジングの前記第２の部分は、環状の三角形の界面を含み、前記ハウジングの前記第２の部分の前記環状の三角形の界面が、前記ハウジングの前記第１の部分に係合し、前記ハウジングの前記第１の部分と前記ハウジングの前記第２の部分との間で前記軸方向の締り嵌めをもたらす請求項１に記載のシリンジアダプタ。
【請求項３】
前記ハウジングの前記第２の部分の前記環状の三角形の界面は、前記ハウジングの前記第１の部分の平坦な界面に係合する請求項２に記載のシリンジアダプタ。
【請求項４】
前記ハウジングの前記第１の部分の前記平坦な界面が、前記ハウジングの縦軸線に対してほぼ垂直に延びる請求項３に記載のシリンジアダプタ。
【請求項５】
前記ハウジングの前記第２の部分の前記環状の三角形の界面が、前記ハウジングの前記第１の部分に係合するように構成される尖端を含む請求項３に記載のシリンジアダプタ。
【請求項６】
前記ハウジングの前記第２の部分の前記環状の三角形の界面が、前記環状三角形の界面の前記尖端から半径方向内向きに延びる傾斜面をさらに含む請求項５に記載のシリンジアダプタ。
【請求項７】
前記ハウジングの前記第１の部分は、複数の突起部を含み、該ハウジングの前記第１の部分の前記複数の突起部が、前記ハウジングの前記第２の部分に係合し、前記ハウジングの前記第１の部分と前記ハウジングの前記第２の部分との間に前記半径方向の締り嵌めをもたらす請求項１に記載のシリンジアダプタ。
【請求項８】
前記ハウジングの前記第１の部分が、複数の突起部を含み、前記ハウジングの前記第１の部分の前記複数の突起部が前記ハウジングの前記第２の部分に係合し、前記ハウジングの前記第１の部分と前記ハウジングの前記第２の部分との間に前記半径方向の締り嵌めをもたらす請求項２に記載のシリンジアダプタ。
【請求項９】
前記複数の突起部が、前記ハウジングの前記第１の部分の周縁で離間されている請求項７に記載のシリンジアダプタ。
【請求項１０】
前記複数の突起部が、それぞれ、前記ハウジングの前記第１の部分から半径方向外向きに延びる請求項９に記載のシリンジアダプタ。
【請求項１１】
前記ハウジングの前記第１の部分が前記ハウジングの前記第２の部分に接続された場合、前記複数の突起部が、前記ハウジングの前記第１の部分に押し込むように構成された請求項７に記載のシリンジアダプタ。
【請求項１２】
前記ハウジングの前記第２の部分が複数の歯を含み、前記ハウジングの前記第２の部分の前記複数の歯が、前記ハウジングの前記第１の部分に係合し、前記ハウジングの前記第１の部分と前記ハウジングの前記第２の部分との間に前記軸方向の締り嵌めをもたらす請求項１に記載のシリンジアダプタ。
【請求項１３】
前記ハウジングの前記第１の部分が、複数の突起部を含み、前記ハウジングの前記第１の部分の前記複数の突起部が、前記ハウジングの前記第２の部分に係合し、前記ハウジングの前記第１の部分と前記ハウジングの前記第２の部分との間に前記半径方向の締り嵌めをもたらす請求項１２に記載のシリンジアダプタ。
【請求項１４】
前記複数の歯の各々が、軸方向に延びる請求項１２に記載のシリンジアダプタ。
【請求項１５】
前記ハウジングの前記第２の部分が前記ハウジングの前記第１の部分に接続された場合、前記複数の歯の各々が、前記ハウジングの前記第１の部分に押し込むように構成された請求項１２に記載のシリンジアダプタ。
【請求項１６】
前記ハウジングの前記第２の部分が前記ハウジングの前記第１の部分に接続された場合、前記複数の歯が、前記ハウジングの前記第１の部分と前記ハウジングの前記第２の部分との間に応力の釣り合いのとれていない分布をもたらす請求項１２に記載のシリンジアダプタ。
【請求項１７】
前記複数の歯が、前記第２の部分の環状の第１の端部の回りに配設され、環状の第１の端部から延びる請求項１２に記載のシリンジアダプタ。
【請求項１８】
前記複数の歯が、ほぼ平らな表面によって離間され分離されている請求項１７に記載のシリンジアダプタ。
【請求項１９】
前記複数の歯が、前記ハウジングの前記第２の部分の前記環状の第１の端部の回りで一緒に接続される請求項１７に記載のシリンジアダプタ。
【請求項２０】
前記コネクタが、前記ハウジングの前記第１の部分に回転可能に取り付けられ、前記カニューレが、前記コネクタに固定され、前記ハウジング内で少なくとも部分的に囲まれる請求項１に記載のシリンジアダプタ。
【発明の詳細な説明】
【技術分野】
【０００１】
関連出願の相互参照
本出願は、その全体が参照により本明細書と一体に構成される、２０１７年１月１７日に出願された米国特許仮出願番号第６２／４４７，０３２号の利益を主張する。
【０００２】
本発明は、別の医療機器もしくは液体用容器にシリンジを接続するためのシリンジアダプタに関し、より詳細には、２つの接続された部分、または部品から形成されるハウジングを含むシリンジアダプタに関する。
【背景技術】
【０００３】
薬剤師および看護婦などの医療臨床医は、薬剤の準備、薬剤の投与、および他の同様の取扱い行為中に大気に放出することがある薬剤または溶剤との繰り返される接触の結果として急性および長期の健康の危険性を受ける可能性がある。例えば、注入を実行する場合、注入物バッグまたは他の注入液容器内の注入液に薬剤または他の医療物質を注入することが、しばしば必要とされる。この注入は、注入バッグにおいて、または、問題の薬液で充填されたシリンジの針をもつ注入液ラインにおいて、注入ポートのセプタムまたは他の液障壁を貫通することによってしばしば実行される。セプタムを貫通する前に、バイアルからシリンジに、それから、シリンジから容器に薬液を移動することも必要であり得る。これらの処置の各々において、臨床医または医療提供者は、薬液に接触する場合があり、その結果、例えば、蒸発した薬液からの汚染、またはエアロゾルとして放出された汚染物質からの汚染をもたらす。例えば、汚染は、蒸発した汚染物質またはエアロゾルの汚染物質を肺に吸込むことによって起こり得る。汚染はまた、蒸発した汚染物質またはエアロゾルの汚染物質が、臨床医のまたは医療提供者の皮膚で凝縮し、それから、貫通するときに起こり得る。場合によっては、そのような凝縮した汚染物質は、防護手袋すら貫通し得る。
【０００４】
残念ながら、汚染物質への接触は、長期的に、臨床医または医療提供者の血液または体組織中において容認できないほど高い濃度の薬剤または汚染物質を生じる場合がある。汚染の危険性は、複雑な注入物の準備中に行われなければならない容器間の多くの移送処置により増す。これらの理由により、薬剤が薬剤の移送中に移送装置中に含まれていることを保証するために、閉鎖系移送装置（ＣＳＴＤ）が開発された。ＣＳＴＤは、概して、シリンジへの接続のためのシリンジアダプタと、患者の循環系に流体接続をもたらすバイアルと、第２のシリンジと、液体用容器と、または管への接続のための（しばしば、患者用コネクタと呼ばれる）別のアダプタとを含む。使用中に、臨床医または医療提供者は、それぞれのアダプタの接続を介してバイアルにシリンジを取り付けることによって食塩水または何らかの他の再構成媒体で粉末状の化合物または凍結乾燥された化合物を再構成する場合がある。薬剤は、それから、シリンジから、それぞれのアダプタを通して、バイアルに液を注入することによって再構成される。場合によっては、再構成された注入物は、それから、シリンジに吸引され得る。吸引後に、アダプタが互いに切り離されることができる。臨床医または医療提供者は、それから、患者への投与のためにシリンジからＩＶラインまたはシリンジなどの液体管、または、患者用送出装置に液を移送するために別のアダプタにシリンジを取り付け得る。１つ以上のこれらの接続する処置では、臨床医は、それらの間の安全な接続を保証するためにアダプタの一部を消毒する必要とする場合がある。
【０００５】
薬剤または治療薬の再構成中に実行されなければならない複数の接続に鑑みて、互いの接続、および／または、患者用系統との接続のために臨床医がアダプタを準備するのを支援する装置とアセンブリとが必要とされる。本明細書で開示するシリンジアダプタと、キャップ、およびアセンブリとはこれらの問題に対処するように構成される。
【先行技術文献】
【特許文献】
【０００６】
【特許文献１】米国特許出願公開第２０１５／０２９７４５４号明細書
【発明の概要】
【課題を解決するための手段】
【０００７】
本開示の一面によれば、シリンジアダプタが提供される。シリンジアダプタは、第１の端部と、第１の端部に向かい合って位置付けられる第２の端部とを有するハウジングを含む。ハウジングは、第１の部分と、第１の部分に接続された第２の部分と、を含む。ハウジングの第１の端部は、シリンジバレルに固定されるように構成されたコネクタを含む。アダプタは、また、ハウジング内に位置決めされたカニューレと、ハウジング内に位置決めされ、膜を含み、ハウジング内で移動可能なシール装置とを含む。ハウジングの第１の部分は、ハウジングの第１の部分と第２の部分との間で軸方向および半径方向との締り嵌めを介して第２の部分に接続され得る。
【０００８】
いくつかの例では、ハウジングの第２の部分は、環状の三角形の界面を含むことができる。ハウジングの第２の部分の環状の三角形の界面は、ハウジングの第１の部分に係合して、ハウジングの第１の部分とハウジングの第２の部分との間で軸方向の締り嵌めをもたらすことができる。ハウジングの第２の部分の環状三角形の界面は、ハウジングの第１の部分の平坦な界面に係合することができる。例えば、ハウジングの第１の部分の平坦な界面は、ハウジングの縦軸線に対してほぼ垂直に延びることができる。随意に、ハウジングの第２の部分の環状の三角形の界面は、ハウジングの第１の部分に係合するように構成される尖端を含むことができる。ハウジングの第２の部分の環状の三角形の界面は、環状の三角形の界面の尖端から半径方向内向きに延びる傾斜面をも含むことができる。ハウジングの第１の部分は、複数の突起部を含み、複数の突起部がハウジングの第２の部分に係合し、ハウジングの第１の部分とハウジングの第２の部分との間に半径方向の締り嵌めをもたらすように構成される。
【０００９】
いくつかの例では、ハウジングの第１の部分は、複数の突起部を含むことができる。ハウジングの第１の部分の複数の突起部は、ハウジングの第２の部分に係合し、ハウジングの第１の部分とハウジングの第２の部分との間に半径方向の締り嵌めをもたらすことができる。複数の突起部は、ハウジングの第１の部分の周縁で離間されることができる。例えば、複数の突起部は、それぞれ、ハウジングの第１の部分から半径方向外向きに延びることができる。随意に、ハウジングの第１の部分がハウジングの第２の部分に接続される場合、複数の突起部が、ハウジングの第１の部分に押し込むように構成される。
【００１０】
いくつかの例では、ハウジングの第２の部分は、複数の歯を含み、複数の歯が、ハウジングの第１の部分に係合し、ハウジングの第１の部分とハウジングの第２の部分との間に軸方向の締り嵌めをもたらすことができる。複数の歯の各々は、軸方向に延びることができる。随意に、ハウジングの第２の部分がハウジングの第１の部分に接続される場合、複数の歯の各々はハウジングの第１の部分に押し込むように構成される。
【００１１】
いくつかの例では、ハウジングの第２の部分がハウジングの第１の部分に接続される場合、複数の歯はそれぞれ、ハウジングの第１の部分とハウジングの第２の部分との間に応力の釣り合いのとれない分布をもたらすことができる。例えば、複数の歯は、第２の部分の環状の第１の端部の回りに配設され、環状の第１の端部から延びることができる。複数の歯は、ほぼ平らな表面によって離間され分離されることができる。複数の歯は、ハウジングの第２の部分の環状の第１の端部の回りで一緒に接続されることができる。
【００１２】
いくつかの例では、コネクタは、ハウジングの第１の部分に回転可能に取り付けられる。カニューレはコネクタに固定され、ハウジングで少なくとも部分的に囲まれることができる。
【００１３】
本発明のこれらおよび他の特徴および特性、ならびに動作の方法および構造の関連要素の機能および部品の組合せおよび製造の経済性は、添付図面を参照しながら以下の説明および添付の特許請求の範囲を考慮すればより明らかになり、その全ては本明細書の一部を形成し、同一の参照番号は様々な図中で対応する部分を指す。ただし、図面は、例示および説明のためのものにすぎず、本発明の限定の定義として意図されないことを明確に理解されたい。本明細書および特許請求の範囲で使用する単数形の「１つの（ａ）」、「１つの（ａｎ）」および「その（ｔｈｅ）」は、その文脈が別段の明確な要求することがない限り、複数の指示物を含む。
【図面の簡単な説明】
【００１４】
【図１】図１は、本開示の一面に応じたシリンジアダプタおよびキャップを含むアセンブリの正面図である。
【図２Ａ】図２Ａは、２Ａ−２Ａ線に沿った図１におけるシリンジアダプタの断面図である。
【図２Ｂ】図２Ｂは、輪郭２Ｂによって囲まれた図２Ａにおけるシリンジアダプタの一部分の拡大断面図である。
【図３Ａ】図３Ａは、輪郭３Ａによって囲まれた図２Ａにおけるシリンジアダプタの一部分の拡大断面図である。
【図３Ｂ】図３Ｂは、図２Ａにおけるシリンジアダプタの他の部分の断面図である。
【図４Ａ】図４Ａは、図１におけるシリンジアダプタのハウジングの第１の部分の正面図である。
【図４Ｂ】図４Ｂは、図４Ａにおけるシリンジアダプタハウジングの第１の部分の下面図である。
【図５Ａ】図５Ａは、図１におけるシリンジアダプタのハウジングの第２の部分の斜視図である。
【図５Ｂ】図５Ｂは、図５Ａにおけるシリンジアダプタハウジングの第２の部分の断面の斜視図である。
【図６】図６は、図１におけるシリンジアダプタのハウジングの分解斜視図である。
【図７】図７は、シリンジアダプタのハウジングの他の実施例の分解斜視図である。
【図８】図８は、シリンジアダプタのハウジングの他の実施例の分解斜視図である。
【図９Ａ】図９Ａは、本開示の一面に応じたシリンジアダプタのための保護キャップの正面図である。
【図９Ｂ】図９Ｂは、９Ｂ−９Ｂ線に沿った図９Ａにおける保護キャップの断面図である。
【図９Ｃ】図９Ｃは、図９Ａにおける保護キャップの斜視図である。
【図１０】図１０は、本開示の一面に応じた保護キャップの他の実施例の斜視図である。
【図１１Ａ】図１１Ａは、図９Ａにおける保護キャップに取り付けられたシリンジアダプタの断面図である。
【図１１Ｂ】図１１Ｂは、輪郭１１Ｂによって囲まれた図１１Ａの断面図の拡大部分である。
【図１２Ａ】図１２Ａは、本開示の一面に応じたシリンジアダプタの第２の部分の他の実施例の正面図である。
【図１２Ｂ】図１２Ｂは、本開示の一面に応じたシリンジアダプタの第２の部分の他の実施例の正面図である。
【図１２Ｃ】図１２Ｃは、本開示の一面に応じたシリンジアダプタの第２の部分の他の実施例の正面図である。
【図１３Ａ】図１３Ａは、本開示の一一面に応じたシリンジアダプタのための保護キャップの他の実施例の正面図である。
【図１３Ｂ】図１３Ｂは、１３Ｂ−１３Ｂ線に沿った図１３Ａにおける保護キャップの断面図である。
【図１４Ａ】図１４Ａは、図１３Ａにおける保護キャップに取り付けられたシリンジアダプタの断面図である。
【図１４Ｂ】図１４Ｂは、輪郭１４Ｂによって囲まれた図１４Ａにおけるアダプタとキャップとの一部分の断面図である。
【図１５Ａ】図１５Ａは、本開示の一面に応じた図１３Ａにおける保護キャップへの挿入以前の綿棒の概略図である。
【図１５Ｂ】図１５Ｂは、開口キャップに挿入された図１５Ａにおける綿棒を示す概略図である。
【図１６Ａ】図１６Ａは、本開示の一面に応じた保護キャップの他の実施例に取り付けられたシリンジアダプタの正面図である。
【図１６Ｂ】図１６Ｂは、１６Ｂ−１６Ｂ線に沿った図１６Ａにおけるシリンジアダプタとキャップとの断面図である。
【図１７Ａ】図１７Ａは、本開示の一面に応じたシリンジアダプタのための保護キャップの他の実施例の正面図である。
【図１７Ｂ】図１７Ｂは、１７Ｂ−１７Ｂ線に沿った、シリンジアダプタに接続された図１７Ａにおける保護キャップの断面図である。
【発明を実施するための形態】
【００１５】
複数の図は、概して、本開示のシステムおよび方法の好適で非限定的な一面を示す。その説明が装置の様々な一面を述べるが、本開示を限定するものとして多少なりとも解釈されるべきではない。さらに、本開示における一面の変更、概念、および適用が、限定されないが、本明細書の例示および説明によって包含されるものとして当業者によって解釈されるべきである。
【００１６】
さらに、以下の説明のために、「端」、「上部」、「下部」、「右」、「左」、「垂直」、「水平」、「上」、「下」、「横」、「縦」という用語、およびそれらの派生語は、図面中、ある方向に向けられているので、本開示に関係づけられるものとする。「基端」という用語は、装置の中心または中央部に向かう方向であることを指す。「末端」という用語は、装置の中央部から離れ外側の方向に延びるものであることを指す。しかしながら、そうではなく、別段の指示がある場合を除いて、本開示が、様々な代替の変形例、および、ステップシーケンス（step sequences）を想定し得るものとする。添付図面に示され、以下の明細書において説明される特定の装置、および、方法は、本開示の例示的な一面にすぎないものとする。したがって、本明細書で開示される一面に関係づけられる特定の寸法、および、他の物理的特性は、限定するものとして考えられるべきではない。本開示の理解を容易にするために、添付図面および説明は、本開示、その構造の様々な一面、構成および作動方法、ならびに、多くの利点が、理解され、認識され得るそれらの好適な一面を示す。
【００１７】
本開示の一面によれば、他の医療機器、または、液体用容器に注射器（シリンジ）を接続するためのシリンジアダプタが、もたらされる。例えば、医療機器は、例えば、患者用系統、バイアルアダプタ、液体用容器、または注入器とされる。他の一例では、その容器は、患者に投与されるべき液体を保持するための医療用小瓶、シリンジ用外筒、ＩＶバッグ(ＩＶbag)、または同様の容器とされる。シリンジアダプタは、シリンジ、および、医療機器または液体用容器相互間の流体の密閉した移動を容易にするために使用可能とされる。そのシリンジアダプタは、第２のグリップ部分のような第２の部分に挿入される第１のグリップ部分のような第１の部分から形成されるハウジングを含み得る。第１の部分は、軸方向の締り嵌め、および／または、半径方向の締り嵌めによって第２の部分に接続され得る。軸方向の締り嵌めとは、ハウジングのそれぞれの部分を互いに引き離すこと（例えば、ハウジングの部分を取り外すこと）、および／または、ハウジングの第２の部分にハウジングの第１の部分をさらに押し入れることを妨げるかまたは阻止するハウジングの第１の部分の構造とハウジングの第２の部分の構造との間の係合を指すことができる。例えば、軸方向の締り嵌めとは、第１の部分が第２の部分に実質的にロックされ、第２の部分に対する第１の部分の軸方向の移動を防げる状況を指すことができる。同様に、半径方向の締り嵌めとは、互いに対するハウジングの部分の回転を妨げるかまたは阻止する構造を指すことができる。軸方向の締り嵌め構造と半径方向の締り嵌め構造との両方、組み合わせを含むシリンジアダプタは、ハウジングの部分を所定の位置により確実にロックすることを助ける。
【００１８】
本開示の他の一面によれば、シリンジアダプタのための保護キャップがもたらされる。保護キャップとともに使用可能とされる例示的なシリンジアダプタは、その全体が参照により本明細書と一体に構成される米国特許出願公開第２０１５／０２９７４５４号明細書（特許文献１）に記載されている。キャップは、使用者がそこからキャップを取り外すことなく、シリンジアダプタの内部を消毒できるように構成される。例えば、キャップは、使用者がアダプタからキャップを取り外すことなく、アダプタの内部を消毒するために綿棒（例えば、イソプロピルアルコールなどの消毒剤中に浸漬された綿棒）を挿入できるように構成され得る。いくつかの例では、キャップは、使用者がシリンジアダプタの内部に接近することを可能にするために使用者によって開放されるように構成されたドア、即ち、窓を含むカバーを含むことができる。他の例では、キャップは、それに装着される消毒用綿棒、即ち、脱脂綿を含むことができる。そのキャップがアダプタに取り外し可能に取り付けられる場合、綿棒、即ち、脱脂綿は、シリンジアダプタの内部に挿入されるように位置決めされ得る。
【００１９】
図１を参照すると、シリンジ（図示せず）と患者用系統または容器に取り付けられた（以下では「患者用コネクタ」と称する）コネクタとの間の流体連通を確立するための例示的なシリンジアダプタアセンブリ１００を示す。アセンブリ１００はまた、限定されないが、バイアルアダプタと、ＩＶバッグスパイクと、ＩＶラインとを含む液移送システム、および／または、閉鎖系移送装置の他の構成要素に関して利用され得る。アセンブリ１００は、シリンジアダプタ１１０と保護キャップ１０とを含むことができる。シリンジアダプタ１１０は、概して、内部１１４（図２Ａおよび図２Ｂに示される）を画定するハウジング１１２を含む。ハウジング１１２は、シリンジと開口の第２、即ち、末端の端部１１８に直接または間接的に取り付けられるように構成された第１、即ち、基端の端部１１６を含む。シリンジアダプタ１１０は、それの基端の端部１１６に配設され、シリンジに係合するように構成されたシリンジコネクタ１２０を含むことができる。例えば、シリンジコネクタ１２０は、シリンジの対応する構造に係合するように構成されたルアーコネクタ、または、ねじコネクタのようなシリンジポート１２２を含むことができる。
【００２０】
いくつかの例では、シリンジアダプタ１１０は、例えば、キャップ１０の開口基端１２にアダプタハウジング１１２の開口末端１１８を押し込むことによって保護キャップ１０に取り外し可能に取り付けられるように構成される。例えば、ハウジング１１２は、キャップ１０にスナップフィットされることができる。本明細書で説明するように、キャップ１０は、アダプタ１１０とキャップ１０との間の接続を維持するための様々なロッキング、および／または、アタッチメント構造を含むことができる。いくつかの例では、キャップ１０は、例えば、アダプタハウジング１１２の汚染を防げるためにハウジングの開口末端１１８を部分的に囲むように構成されることができる。いくつかの例では、キャップ１０は、そこからキャップ１０を取り外すことなく、使用者がシリンジアダプタ１１０の内部１１４に接近できるようにするために開位置に移行され得る。
【００２１】
例示的なシリンジアダプタ
図１乃至図６は、保護キャップ１０とともに使用されることができる例示的なシリンジアダプタ１１０の一面を示す。図２Ａに示されるように、シリンジアダプタ１１０は、コネクタ１２０に取り付けられ、コネクタ１２０からハウジング１１２の内部１１４に、末端方向に延びる針カニューレ１２４を含むことができる。図２Ａおよび図２Ｂに示されるように、アダプタ１１０はまた、ハウジング１１２の内部１１４に摺動可能に取り付けられたソケット、即ち、コレット１２８を含む、概して、１２６によって示されるシール装置を含む。コレット１２８は、末端、即ち、使用前の位置と基端、即ち、使用中の位置との間でハウジング１１２の内部１１４を介して可動である（図２Ａおよび図２Ｂに示される）。シール装置１２６は、また、コレット１２８に取り付けられた貫通可能な膜、即ち、セプタム１３０を含む。コレット１２８がそれの末端の位置、即ち、使用前の位置にある場合、カニューレ１２４の（図２Ａに示す）末端の先端１３２が、使用するより前の汚染を防げるためにセプタム１３０によって完全に囲まれる。コレット１２８は、それにシリンジアダプタ１１０を取り付けるための患者用コネクタ（図示せず）または別のアダプタの一部分を把持するように構成された末端のフランジ１３４と脚１３６とを含む。いくつかの例では、フランジ１３４、および／または、コレット脚１３６は、患者用コネクタを把持するために半径方向内向きに付勢されることができる。患者用コネクタが、アダプタ１１０の開口末端１１８中に挿入される場合、フランジ１３４、および／または、脚１３６は、図２Ｂ中の矢印Ｄ１によって特定される方向でグリップ位置、即ち、凹み位置に半径方向外向きに押される。
【００２２】
使用中に、患者用コネクタがアダプタ１１０の末端１１８に取り付けられるとき、アダプタ１１０は、末端の位置、即ち、使用前の位置（図２Ａおよび図２Ｂに示される）から基端の位置、即ち、使用の位置にコレット１２８を移動することによって作動される。基端方向にコレット１２８を移動することによって、針カニューレ１２４の末端チップ１３２にセプタム、即ち、シール１３０を貫通させ、それによって、針カニューレ１２４を、患者用コネクタまたは別のアダプタと接触させる。コレット１２８の連続した基端の移動は、針カニューレ１２４を患者用コネクタまたはアダプタに取り付けられた別の容器または医療機器と流体接続させ、それによって、シリンジアダプタ１１０を介してシリンジおよび容器または医療機器との間での流体連通を確立することができる。
【００２３】
再び図１乃至図６を参照すると、アダプタハウジング１１２は、内部１１４を囲むために互いに取り付けられた２つ以上の部分から形成されることができる。例えば、ハウジング１１２は、第２の部分１４０に挿入、および／または、接続された第１の部分１３８を含むことができる。いくつかの例では、ハウジング１１２の第１の部分１３８は、（図１および図２Ａに示す）卵形凹部１４４の２つのペアとして示される（図１および図２Ａに示す）グリップ装置１４２を含むことができる。他の好適なグリップ装置も、アダプタ１１０を保持、および／または、操作することを容易にするために利用され得る。
【００２４】
いくつかの例では、ハウジング１１２の第１の部分１３８は、部分１３８、１４０を互いに効果的にロックするために第１の部分１３８と第２の部分１４０との間の軸方向および半径方向の締り嵌めを介して第２の部分１４０に接続されることができる。図２Ｂ、図３Ａ、図３Ｂ、図５Ａ、および図５Ｂを特に参照すると、いくつかの例では、第２の部分１４０は、軸方向の締り嵌めを形成するために第１の部分１３８に係合する、概して１４６として示される環状の三角形の界面を含む。環状三角形の界面１４６は、尖端１４８とそこから延びる半径方向内向き方向に傾斜する環状表面１５０とを含むことができる。環状の三角形の界面１４６は、部分１３８、１４０を互いにロックするためにハウジング１１２の第１の部分１３８に押し込むように構成される。場合によっては、環状の三角形の界面１４６は、第１の部分１３８の（図２Ｂ、図３Ａ、および図３Ｂに示す）対応する環状の平坦な界面１５２に押し込むように配置される。平坦な界面１５２は、ハウジング１１２の縦軸線Ｌに対してほぼ垂直に延びることができる。例えば、環状の三角形の締り嵌めは、それへの好適な接続を形成するために平坦な界面に押し込む、即ち、食いつくことができる。
【００２５】
一例では、第１の部分１３８から末端に、および、第２の部分１４０から基端に延び対向する膨れ部分、即ち、複数の突起相互間の係合も、図３Ａおよび図３Ｂに示されるように、軸方向の締り嵌めに寄与し得る。例えば、ハウジング１１２の第２の部分１４０は、第１の部分１３８の対応する棚、即ち、棚状の突起１５６に係合するように構成された膨れ部分、即ち、突起１５４を含むことができる。第２の部分１４０の突起１５４は、第２の部分１４０の基端１４１に位置する半径方向内向きに延びる構造であることができる。いくつかの例では、突起１５４は、第２の部分１４０にハウジング１１２の第１の部分１３８をロックするために棚状の突起１５６に対して半径方向内向きに付勢されることができる。突起１５４と棚状の突起１５６との間の接触は、使用者が、第２の部分１４０から第１の部分１３８を引き離す、および／または、引き抜くことを防げるか、またはそれをより困難にする。
【００２６】
図２Ｂ、図３Ａ、図３Ｂ、図４Ａ、および図４Ｂを特に参照すると、ハウジング１１２の第１の部分１３８は、第１の部分１３８と第２の部分１４０との間に半径方向の締り嵌めをもたらすために第２の部分１４０に係合するように構成された複数の突起部１５８をさらに含むことができる。例えば、図３Ａおよび図３Ｂに示されるように、突起部１５８は、部分１３８、１４０を互いにロックするために、および、特に、第２の部分１４０に対する第１の部分１３８のねじれを防げるかまたは制限するために第２の部分１４０の内部表面に食いつくか、または、押し込むことができる。いくつかの例では、図４Ａおよび図４Ｂに示されるように、突起部１５８は、第１の部分１３８の外周の周りで離間されることができる。突起部１４０は、第１の部分１３８から半径方向外向きに延びることができ、例えば、第２の部分１４０の対応する内部垂直面１６０に係合するように構成されることができる。いくつかの例では、突起部１５８は、第１の部分１３８の外周の周りで等距離に離間した縦方向に延びる隆起であることができる。他の例では、突起部１５８は、ハウジング１１２の第２の部分１４０に接触するための半球形、円筒形、ピラミッド形、または任意の他の適切な形状であることができる。他の例では、第１の部分１３８は、第２の部分１３２に第１の部分１３０をロックするために第２の部分１４０の垂直円筒面１６０との可変接触をもたらすための起伏表面を備えることができる。
【００２７】
図６乃至図８を参照すると、第１の部分１３８に取り付けられるように構成された第２の部分１４０の付加的な実施例を示す。図６乃至図８の実施例では、第２の部分１４０が矢印Ａ１の方向で第１の部分１３８に取り付けられる場合、第２の部分１４０の基端１４１は、第１の部分１３８と第２の部分１４０との間での応力の釣り合いのとれない分布を生成するように成形される。例えば、第２の部分１４０は、第２の部分１３２の基端１４１から軸方向に延びる複数の歯１６２を含むことができる。複数の歯１６２は、軸方向の締り嵌めをもたらすためにアダプタハウジングの第１の部分１３８に係合するように構成される。例えば、複数の歯１６２は、それらの間に好適な係合を形成するために第１の部分１３８の平坦面１５２を押し込む、および／または、変形させることを行い得る。いくつかの例では、図６および図７に示されるように、複数の歯１６２は、第２の部分１４０の環状基端１４１の周りで離間されることができ、例えば、ほぼ平らな表面によって、またはハウジングの縦軸線Ｌに向かって半径方向内向きの傾斜面によって分離されることができる。他の例では、図８に示されるように、複数の歯１６２は、第２の部分１４０の環状の基端１４１の周りで互いに接続されることができる。この構成では、図８に示されるように、第２の部分の環状基端１４１は、いかなる平坦または平面領域をも含まず、代わりに、図８に示されるように環状の基端１４１の周りで交互する上方に傾斜した傾斜面と下方に傾斜した傾斜面とから形成される。
【００２８】
例示的な保護キャップ
次に、ハウジング１１２の末端１１８に取り付けられることができ、使用以前にシリンジアダプタ１１０から取り外すことができる保護キャップの例について詳細に説明する。図９Ａ乃至図１１Ｂを参照すると、開口基端１１２と閉鎖末端１１４とを有する例示的なキャップ１０を示す。保護キャップ１０は、スナップフィットによりアダプタハウジングに接続されるように構成される。例えば、キャップ１０は、例えば、図１１Ａおよび図１１Ｂに示されるように、中央キャビティ１６内でハウジング１１２の末端１１８を受容するように構成されることができる。保護キャップ１０は、柔らかいゴムまたは柔軟なプラスチックのような、アダプタよりも柔らかい、および／または、柔軟な材料から形成されることができる。キャップ１０は、その技術分野で知られているように、射出成形によってまたは別の好適な成形方法によって形成されることができる。
【００２９】
いくつかの例では、キャップ１０は、シリンジアダプタに係合するように構成された基端部分１８と、末端フランジ、即ち、ベース部分２０と、それらの間に延びる環状側壁２２とをもつ環状体、即ち、本体１６を含む。いくつかの例では、フランジ、即ち、ベース部分２０は、キャップ１０とそれに取り付けられたシリンジアダプタとがほぼ直立してテーブルまたは別の平坦表面上に配置されることができるようなほぼ平坦な底面２４を含むことができる。いくつかの例では、キャップ１０の環状側壁２２は、それの半径方向内側面上に配設された肩２６（図９Ｂに示される）を含むことができる。肩２６は、アダプタに付加的な支持をもたらすためにシリンジアダプタの末端の一部分に接触するように配置された傾斜面であることができる。
【００３０】
キャップ１０とシリンジアダプタ１１０との一般的な構造について説明したが、次に、アダプタ１１０にキャップ１０を取り付けるための構造について詳細に説明する。図１１Ａおよび図１１Ｂに示されるように、いくつかの例では、環状体１６の基端部分１８は、シリンジアダプタ１１０の開口末端１１８とのスナップフィット係合を形成するように構成されることができる。例えば、本体１６の基端部分１８は内向きに付勢されて、キャップ１０とアダプタ１１０との間に軸方向の締り嵌め係合を形成してもよい。いくつかの例では、環状体１６の基端部分１８は、また、それらの間のスナップフィット係合を補うためにハウジング１１２の末端１１８の一部分に係合するように構成された１つ以上の突起、即ち、タブ２８を含み得る。いくつかの例では、アダプタハウジング１１２の第２の部分１４０は、突起、即ち、タブ２８に係合するように配置された１以上の凹部または突起を含み得る。例えば、第２の部分１４０は、それとの好適な接続を形成するためにタブ２８に接触するように構成された、それの外周の周りに延びる環状の溝、即ち、棚１６４を含むことができる。他の例では、棚１６４は、第２の部分１４０の外面から延びるいくつかの突起、または、ディテント（detents）に置き換えられることができる。キャップ１０の内向きに延びるタブ２８は、シリンジアダプタ１１０に対するキャップ１０の軸方向の移動を制限するために棚１６４を把持する（例えば、それとのスナップフィット係合を形成する）ように構成されることができる。いくつかの例では、キャップ環状体１６の内向きのタブ２８は、環状体１６の基端部分１８の外周の周りに配置される２つ以上のタブ２８を含むことができる。基端部分１８の外周の周りに等距離に配置された４つの別個の個々のタブ２８を含む基端部分１８をもつキャップ１０が、例えば、図９Ｃに示される。他の例では、図１０に示されるように、環状体１６の基端部分１８は、キャップ環状体１６の基端部分１８の外周の周りに延びる環状リング、即ち、リップ３０を含むことができる。リング、即ち、リップ３０は、それらの間の好適な接続を形成するために棚１６４（図１１Ａおよび図１１Ｂに示される）に接触するように構成されることができる。
【００３１】
図１２Ａ乃至図１２Ｃを参照すると、保護キャップ１０とのスナップフィットを受容および形成するための代替構造を示すシリンジアダプタ１１０の第２の部分１４０の付加的な実施例が示される。例えば、図１２Ａに示されるように、第２の部分１４０は、保護キャップの一部分に接触および係合するように構成された半径方向外向きに延びる輪、即ち、隆起１６６を含むことができる。図１２Ｂに示されるように、他の例では、第２の部分１４０は、タブ、即ち、環状リングを受容するように構成された環状凹部、即ち、溝１６８を含むことができる。さらに他の例では、図１２Ｃに示されるように、アダプタ１１０の第２の部分１４０は、それとのスナップフィットを形成するためにキャップの部分に接触および係合するように構成された半径方向外向きに延びる突起、即ち、バンプ１７０を含むことができる。いずれの場合も、キャップ１０は、第２の部分１４０から取り外し可能であるように設計される。したがって、突起、溝、即ち、リングなどのこれらの締り嵌め構造は、針の意図しない露出を防げるためにシリンジアダプタ１１０からのキャップの取り外しを制限するようにサイズ決定されなければならない。しかしながら、突起、溝、即ち、リングは、不合理な力を加える必要なしに、キャップ１０もしくはアダプタ１１０を損傷することなしに、キャップが使用者によって取り外されることができるのに十分小さくなければならない。
【００３２】
シリンジアダプタを消毒するための例示的な保護キャップ
本開示の他の一面によれば、保護キャップは、使用以前に、特に、シリンジアダプタからキャップを取り外す前にシリンジアダプタの内部の部分を消毒するために使用者がシリンジアダプタの内部に接近することを可能にするように構成されることができる。シリンジアダプタの内部への接近を可能にするために閉位置と開位置との間で移行可能である例示的な保護キャップ２１０を図１３Ａから図１５Ｂに示す。図１３Ａ乃至図１４Ｂを参照すると、前に説明した例と同様に、キャップ２１０は、スナップフィットによりアダプタハウジングに接続されるように構成された開口基端２１２を含む。しかしながら、他の例の場合とは異なり、保護キャップ２１０は、また、シリンジアダプタの内部への接近を可能にするための開口末端２１４を含む。キャップ２１０は、シリンジアダプタに係合するように構成された基端部分２１８と、末端フランジ、即ち、ベース部分２２０と、それらの間に延びる環状側壁２２２とをもつ環状体、即ち、本体２１６を含むことができる。いくつかの例では、フランジ、即ち、ベース部分２２０は、キャップ２１０とそれに取り付けられたシリンジアダプタとがほぼ直立してテーブルまたは別の平坦表面上に配置されることができるようなほぼ平坦な環状底面２２４を含むことができる。いくつかの例では、キャップ２１０の環状側壁２２２は、それの半径方向内側面上に配設された肩２２６（図１３Ｂに示される）を含むことができる。肩２２６は、アダプタに付加的な支持をもたらすためにシリンジアダプタの末端の一部分に接触するように配置された傾斜面であることができる。
【００３３】
保護キャップ２１０は、本体２１６のフランジ、即ち、ベース部分２２０に接続され、それから基端に延びる管状支持体２３２などの保持部材をさらに含み得る。管状支持体２３２は、シリンジアダプタ１１０（図１４Ａおよび１４Ｂに示される）の開口末端１１８に挿入されるように構成されることができる。管状支持体２３２は、開口基端２３６とそれの開口末端２３８との間に延びる中央経路２３４を画定する。図１３Ａおよび図１３Ｂに示されるように、管状支持体２３２は、シリンジアダプタ１１０の対応する円形開口末端１１８中に挿入されるように構成された円形断面を有し得る。他の例では、管状支持体２３２は、シリンジアダプタ１１０の開口末端１１８のサイズおよび形状に応じて異なる断面形状、および／または、寸法を有することができる。管状支持体２３２は、図１３Ａおよび図１３Ｂに示されるように環状体２１６の基端部分２１８を越えて距離Ｈ１延び得る。他の装置では、管状支持体２３２は、シリンジアダプタ１１０の形状および構造に応じて同じ高さであることも、環状体２１６よりも短くなることもある。
【００３４】
引き続き図１３Ａから図１４Ｂを参照すると、いくつかの例では、保護キャップ２１０は、また、環状体２１６のベース部分２２０に接続されたカバー２４０を含む。カバー２４０は、それが中央経路２３４の末端開口端２３８をカバーする閉位置（図１３Ｂおよび図１４Ｂに示される）と経路２３４がカバーされない開位置（図１５Ａおよび図１５Ｂに示される）とから移行可能であり得、それによって、使用者がシリンジアダプタ１１０の内部１１４（図１４Ａおよび図１４Ｂに示される）に接近することを可能にする。キャップ２１０が開位置（図１５Ａおよび図１５Ｂに示される）にある場合、使用者は、シリンジアダプタ１１０の内部１１４を消毒するための中央経路２３４の開口末端２３８とシリンジアダプタ１１０の開口末端１１８とを通して綿棒を挿入することができる。カバー２４０は、カバー２４０とベース部分２２０との間にピボット係合（pivotal engagement）または継手を形成するのに好適な任意のタイプのコネクタまたは留め具によって環状体２１６のベース部分２２０に接続、および／または、取り付けられることができる。一例では、カバー２４０は、環状体２１６のベース部分２２０と一体的に形成され、一体丁番２４２によって互いに接続される。一体丁番２４２は、構造における２つ以上の剛性部分相互間の薄肉の可撓領域（例えば、折り線）であることができる。一体丁番２４２は、２つの剛性部分相互間の所望の位置に折り線を形成するために剛性部分を薄肉化するか、または剛性部分に切込みを入れることによって形成されることができる。あるいは、薄肉化された一体丁番２４２を含むキャップ２１０が、成形中に形成されることができる。
【００３５】
引き続き図１３Ａから図１４Ｂを参照すると、いくつかの例では、環状体２１６のカバー２４０、および／または、ベース部分２２０は、閉位置にカバー２４０を維持するためのロックまたはラッチ機構を含むことができる。例えば、カバー２４０は、環状体２１６の対応する部分に係合するように構成された戻り止め２４４を含む基端に延びるリップを含むことができる。例えば、戻り止め２４４は、それとの締り嵌め係合を形成するために環状体２１６のベース部分２２０上で対応する突起部、即ち、突起２４６に係合するように配置されることができる。
【００３６】
図１４Ａおよび図１４Ｂを特に参照すると、前に説明した例と同様に、環状体２１６の基端部分２１８は、シリンジアダプタ１１０の開口末端１１８とのスナップフィット係合を形成するように構成されることができる。例えば、キャップ２１０の基端部分２１８は、キャップ２１０とシリンジアダプタ１１０との間で軸方向の締り嵌め係合を内向きに付勢して形成していることがある。いくつかの例では、環状体２１６の基端部分２１８は、それらの間の取り外し可能なスナップフィット係合を形成するためにハウジング１１２の末端１１８の一部分に係合するように構成された１以上の突起、即ち、タブ２２８を含み得る。例えば、前に説明した例と同様に、アダプタハウジング１１２の第２の部分１４０は、それの外周の周りに延びる環状の溝、即ち、棚１６４を含み得る。
【００３７】
図１４Ａに示されるように、キャップ２１０がシリンジアダプタ１１０に取り付けられると、管状支持体２３２はアダプタ１１０の内部１１４に挿入され、したがって、中央経路２３４の基端開口端２３６がコレットフランジ１３４、および／または、コレット脚１３６までまたはそれを越えて延びる。この位置において、管状支持体３２の外面は、それらの凹み位置に向かって半径方向外向きにフランジ１３４、および／または、脚１３６を押し込むフランジ１３４、および／または、脚１３６に接触することができる。したがって、管状支持体２３２は、管状支持体２３２の中央経路２３４およびシリンジアダプタ１１０の開口末端１１８から離れてフランジ１３４、および／または、脚１３６を保持することができ、したがって、綿棒がアダプタ１１０中に挿入されるときそれらが変位されない。
【００３８】
図１５Ａおよび図１５Ｂを参照すると、シリンジアダプタ１１０の内部１１４を消毒するための処置について説明する。図１５Ａに示されるように、臨床医などの使用者は、戻り止め２４４と突起２４６との間のラッチ機構係合を克服するのに十分な力で環状体２１６から離れてカバー２４０の一部分を引くことによってカバー２４０を開くことができる。戻り止め２４４と突起２４６との間の締り嵌め係合が克服されると、カバー２４０は、それの開位置に向かって矢印Ａ１によって示されるように下方向に揺動する。本明細書で説明するように、カバー２４０は、一体丁番２４２などの可撓、および／または、枢動継手によって環状体２１６に接続されることができる。したがって、カバー２４０は、閉位置から開位置に継手または一体丁番２４２の周りを回転または枢動する。カバー２４０がそれの開位置にくると、使用者は、図１５Ａに示されるように矢印Ａ２の方向にアダプタ１１０の開口末端１１８に向かって消毒剤を含んでいる綿棒２４８を前進させる。図１５Ｂに示されるように、綿棒２４８がアダプタ１１０の内部１１４に挿入されると、使用者は、半径方向に綿棒を移動し、それによって、アダプタ内部の要素、特に、密封装置１２６の要素に接触し得る。例えば、使用者は、（図３Ａに示す）カニューレ１２４が、それがセプタム１３０を貫通するときに汚染されないことを保証するために膜、即ち、セプタム１３０の遠心面を消毒し得る。消毒することが完了すると、使用者は、シリンジアダプタ１１０の内部１１４から綿棒２４８を除去し、カバー２４０を矢印Ａ１の方向でそれの閉位置にそれを揺動することによって閉じて、内部１１４、および／または、セプタム１３０の汚染を防げることができる。閉位置を、例えば、図１３Ｂおよび図１４Ａに示す。
【００３９】
シリンジアダプタの開口末端内に挿入されるように構成された例示的な保護キャップ
図１６Ａおよび図１６Ｂを参照すると、シリンジアダプタ１１０とキャップ３１０とを含む患者用コネクタにシリンジを接続するためのアセンブリの別の例示的な実施例を示す。アダプタ１１０は、前に説明したアダプタと実質的に同様であり、シリンジに直接または間接的に取り付けられるように構成された基端１１６と保護キャップ３１０に取り外し可能に取り付けられるように構成された開口末端１１８とを有するハウジング１１２を含む。キャップ３１０は、フランジ、即ち、ベース部分３２０から延びる基端部分３１８を有する環状体３１６を含む。アダプタ１１０の開口末端１１８がキャップの環状体に挿入される前に説明した例の場合とは異なり、キャップ３１０では、本体３１６の基端部分３１８は、キャップ３１０にシリンジアダプタ１１０を取り付けるためにシリンジアダプタ１１０の末端開口端１１８に挿入されるようにサイズ決定または成形されることができる。例えば、環状体３１６の基端部分３１８は、シリンジアダプタ１１０の末端開口端１１８よりもわずかに大きい（例えば、わずかに大きい直径を有する）ことがあり、したがって、アダプタ１１０の開口末端１１８に挿入されると、キャップ３１０とアダプタ１１０との間で摩擦係合が形成される。前に説明した例と同様に、キャップ３１０は、アダプタ１１０に挿入されるときにそれがわずかに変形するような柔らかい可撓性材料、および／または、エラストマー材料から形成されることができる。キャップ３１０の弾力性は、アダプタ１１０とキャップ３１０との間の摩擦係合に寄与することができる。環状体３１６の基端部分３１８はまた、使用者がアダプタ１１０からキャップ３１０を引くのを制限または防止するためにアダプタ１１０の開口末端１１８に接触するように構成された（図１６Ｂに示す）フランジ、即ち、リップ３５０を含むことができる。前に説明した例と同様に、キャップ３１０はまた、環状体３１６のベース部分３２０に接続されたカバー３４０を含むことができる。カバー３４０は、それが環状体３１６の末端開口端３３８をカバーする閉位置と、シリンジアダプタ１１０の内部１１４を消毒するためのシリンジアダプタ１１０の開口端３３８と開口末端１１８とを通して綿棒を挿入することが可能な開位置とから移行可能であることができる。
【００４０】
綿棒、即ち、脱脂綿を有する例示的な保護キャップ
図１７Ａおよび図１７Ｂを参照すると、シリンジアダプタ１１０（図１７Ｂに示される）のためのキャップ４１０の別の例示的な実施例を示す。前に説明した例と同様に、キャップ４１０は、シリンジアダプタ１１０に係合するように構成された基端部分４１８と、末端ベース部分４２０と、それらの間に延びる環状側壁４２２とを有する環状体４１６を含む。前に説明した例と同様に、キャップ４１０はまた、環状体４１６のベース部分４２０に接続され、それから基端に延びる管状支持体４３２などの保持部材を含む。管状支持体４３２は、開口基端４３６とそれの閉鎖末端４３８との間に延びる中央経路４３４を含み、即ち画定することができる。使用者がアダプタ１１０の内部に綿棒を挿入することを可能にするようにキャップが構成された前に説明した例の場合とは異なり、キャップ４１０は、管状支持体４３２の中央経路４３４内に取り付けられた綿棒、即ち、脱脂綿４５２を含む。綿棒、即ち、脱脂綿４５２は、綿または他のタイプの吸収繊維などの吸収材料から形成されることができる。綿棒、即ち、脱脂綿４５２は、アダプタ１１０の内部１１４を消毒するためのイソプロピルアルコールなどの消毒液で湿らされることができる。例えば、綿棒、即ち、脱脂綿４５２は、膜、即ち、セプタム１３０（図１７Ｂに示す）の遠心面を消毒するために使用されることができる。図１７Ｂに示されるように、キャップ４１０がシリンジアダプタ１１０に取り付けられると、管状支持体４３２の外面は、フランジ１３４と脚１３６とをそれらの凹み位置に維持するためにコレットフランジ１３４とコレット脚１３６とに接触する。綿棒、即ち、脱脂綿４５２は、管状支持体４３２の中心空胴４３４の開口基端４３６を越えてアダプタ１１０の内部１１４に突出する。例えば、綿棒、即ち、脱脂綿４５２の基端は、セプタム１３０を消毒するために膜、即ち、セプタム１３０と対面接触することができる。アダプタ１１０の作動前にセプタム１３０を消毒することは、セプタム１３０を貫通する針カニューレ１２４（図２Ａに示す）の汚染を防止または低減することができる。患者用コネクタにアダプタ１１０を接続する準備ができた場合、使用者は、アダプタ１１０のキャップ４１０と末端１１８との間の軸方向の締り嵌め係合を克服するのに十分な力で末端方向Ｄにキャップ４１０を引くことなどによってキャップ４１０を除去し、それによって、アダプタ１１０の開口末端１１８を露出する。キャップ４１０が除去されると、使用者は、アダプタ１１０の開口末端１１８を通して患者用コネクタの一部分を挿入することができる。コレット１２８のフランジ１３４、および／または、脚１３６は、それらの間に好適な係合を形成するために患者用コネクタの挿入された部分を把持する。アダプタ１１０は、それから、基端方向にコレット１２８を移動することによって本明細書で説明した方式で作動され、それによって、カニューレ１２４にセプタム１３０を貫通させ、患者用コネクタ（図示せず）に係合させることができる。
【００４１】
本発明について、現在、最も実際的で好適な一面であると見なされていることに基づいて例示の目的で詳細に説明したが、そのような詳細が単にその目的のためのものにすぎず、本発明が開示する一面に限定されず、反対に、添付の特許請求の範囲の精神および範囲内にある変更および均等の構成をカバーするものであることを理解されたい。例えば、本発明が、可能な限り、任意の一面の１以上の特徴が任意の他の一面の１以上の特徴と組み合わされることができることを企図することを理解されたい。
【図１】
2020505115.tif 000003
【図２Ａ】
2020505115.tif 000004
【図２Ｂ】
2020505115.tif 000005
【図３Ａ】
2020505115.tif 000006
【図３Ｂ】
2020505115.tif 000007
【図４Ａ】
2020505115.tif 000008
【図４Ｂ】
2020505115.tif 000009
【図５Ａ】
2020505115.tif 000010
【図５Ｂ】
2020505115.tif 000011
【図６】
2020505115.tif 000012
【図７】
2020505115.tif 000013
【図８】
2020505115.tif 000014
【図９Ａ】
2020505115.tif 000015
【図９Ｂ】
2020505115.tif 000016
【図９Ｃ】
2020505115.tif 000017
【図１０】
2020505115.tif 000018
【図１１Ａ】
2020505115.tif 000019
【図１１Ｂ】
2020505115.tif 000020
【図１２Ａ】
2020505115.tif 000021
【図１２Ｂ】
2020505115.tif 000022
【図１２Ｃ】
2020505115.tif 000023
【図１３Ａ】
2020505115.tif 000024
【図１３Ｂ】
2020505115.tif 000025
【図１４Ａ】
2020505115.tif 000026
【図１４Ｂ】
2020505115.tif 000027
【図１５Ａ】
2020505115.tif 000028
【図１５Ｂ】
2020505115.tif 000029
【図１６Ａ】
2020505115.tif 000030
【図１６Ｂ】
2020505115.tif 000031
【図１７Ａ】
2020505115.tif 000032
【図１７Ｂ】
2020505115.tif 000033
【国際調査報告】
2020505115.tif 000034
2020505115.tif 000035